(57)【要約】【課題】  レンズの位置調整を容易かつ高精度で行うことが可能なレンズ保持機構体および撮影するときにレンズの位置調整を容易かつ高精度で迅速に行うことが可能な光学装置を提供する。【解決手段】  レンズ保持機構体１は、中央部に配置されたレンズ２、レンズ２の周囲に配置されレンズ２に当接されレンズ２を直接保持する弾性部材３、弾性部材３を介してレンズ２を保持するレンズ保持部４、弾性部材３を変形させるため弾性部材３に当接して応力を及ぼすように配置された駆動部材５を備える。駆動部材５は、レンズ２の光軸とほぼ垂直な平面上で光軸位置Ｏを通って相互にほぼ直交する軸Ａｘ１、Ａｘ２に対応させて２つ配置してあり、レンズ２の光軸にほぼ垂直な平面に対応させた２次元平面上でレンズ２を微小変位させてレンズ２の位置調整を行う。【選択図】  図１
2007079258.tif 000002
【特許請求の範囲】
【請求項１】
レンズと、該レンズに当接された弾性部材と、該弾性部材を介して前記レンズを保持するレンズ保持部とを備えるレンズ保持機構体であって、
前記弾性部材を変形させる駆動部材を備えることを特徴とするレンズ保持機構体。
【請求項２】
前記駆動部材は、前記レンズの光軸とほぼ垂直な平面に沿う方向で前記弾性部材を変形させる構成としてあることを特徴とする請求項１に記載のレンズ保持機構体。
【請求項３】
前記弾性部材は、前記レンズの周囲に沿って連続的に配置してあることを特徴とする請求項２に記載のレンズ保持機構体。
【請求項４】
前記駆動部材は前記弾性部材の外接線の方向に沿って２つ配置してあり、前記外接線は相互にほぼ直交する位置にあることを特徴とする請求項３に記載のレンズ保持機構体。
【請求項５】
前記弾性部材は、前記レンズの周囲に沿って３ヶ所以上に分離して配置してあることを特徴とする請求項２に記載のレンズ保持機構体。
【請求項６】
前記駆動部材は、前記弾性部材の少なくとも２ヶ所に対応させてそれぞれ配置してあることを特徴とする請求項５に記載のレンズ保持機構体。
【請求項７】
前記弾性部材は、前記レンズの半径方向に弾性変形を生じる構成としてあることを特徴とする請求項１ないし請求項６のいずれか一つに記載のレンズ保持機構体。
【請求項８】
前記駆動部材は、イオン伝導アクチュエータであることを特徴とする請求項１ないし請求項７のいずれか一つに記載のレンズ保持機構体。
【請求項９】
イオン伝導アクチュエータは、長さ方向で対向する２つの電極を有し、前記弾性部材を押圧して変形させる押圧駆動および前記弾性部材を伸長して変形させる伸長駆動を行う構成としてあることを特徴とする請求項８に記載のレンズ保持機構体。
【請求項１０】
前記弾性部材は、ゴムで構成してあることを特徴とする請求項１ないし請求項９のいずれか一つに記載のレンズ保持機構体。
【請求項１１】
前記弾性部材は、接着剤で構成してあることを特徴とする請求項１ないし請求項９のいずれか一つに記載のレンズ保持機構体。
【請求項１２】
レンズと、該レンズに当接された弾性部材と、該弾性部材を介して前記レンズを保持するレンズ保持部とを備えるレンズ保持機構体を搭載した光学装置であって、
撮影するときに、前記弾性部材を変形させて前記レンズの位置を調整する駆動部材を備えることを特徴とする光学装置。
【発明の詳細な説明】
【技術分野】
【０００１】
本発明は、レンズを保持するレンズ光学系に関し、特に、レンズに当接された弾性部材を介してレンズを保持するレンズ保持部を備えるレンズ保持機構体および光学装置に関する。
【背景技術】
【０００２】
レンズを保持するレンズ光学系（レンズ保持機構体）として、カメラなどに搭載されるレンズ光学系が知られている。そのようなレンズ光学系においては解像度やズーム性能の向上といった高機能化が進んでいる。また携帯機器などへの搭載においては小型化、軽量化、低消費電力化が重要になってきている。
【０００３】
レンズ光学系においては、そのような高機能化、小型化、軽量化、低消費電力化の進展に伴ってレンズの位置調整を高精度に行うことが強く求められてきている。これは、組み立ての精度が悪いとレンズ光学系の光学性能が大幅に低下してしまうという問題があるからである。
【０００４】
そのような背景から、レンズ位置を高精度に調整してレンズを高精度に保持するレンズ保持部を備えたレンズ保持機構体が求められ、その実現のために様々な検討がなされている。
【０００５】
例えば、従来例１として、露光装置における光学部材の位置と姿勢を調整することが可能な支持機構が提案されている（例えば、特許文献１参照。）。しかし、従来例１の支持機構では、位置調整機構としてマイクロメータによるレンズの押圧により位置・姿勢制御を行う。そのためマイクロメータを駆動するための機構が必要であり、小型化、簡略化が困難であるという問題がある。
【０００６】
また、従来例２として、レンズの保持部材をレンズ光学系の光軸方向のほぼ垂直方向に変形させることによりレンズの位置調整を可能とする機構が提案されている（例えば、特許文献２参照。）。しかし、この機構では、レンズの位置調整のための機構が大きくなってしまい小型化が難しいという問題がある。
【０００７】
また、従来例３としての一般的なレンズ保持機構体においては、レンズ保持部へのレンズの取り付けは接着剤などを用いてレンズをレンズ保持部に直接接着して固定していた。また、接着剤としては一般にはＵＶ硬化樹脂が用いられ、レンズをレンズ保持部に対して位置調整した後、調整位置を保持した状態で接着を行っていた。したがって、接着後はレンズをレンズ保持部に対して変位、調整させることはできなかった。
【特許文献１】特開２００４−３４７８２１号公報
【特許文献２】特開２０００−１９３８６２号公報
【発明の開示】
【発明が解決しようとする課題】
【０００８】
本発明はこのような状況に鑑みてなされたものであり、レンズを弾性部材に取り付け、弾性部材を変形する駆動部材を備えることにより、レンズの位置調整を容易かつ高精度で行うことが可能なレンズ保持機構体を提供することを目的とする。
【０００９】
また、本発明は、駆動部材としてイオン伝導アクチュエータを用いることにより、小型化、軽量化、低消費電力化が可能で微小変位による迅速な位置調整が可能なレンズ保持機構体を提供することを他の目的とする。
【００１０】
また、本発明は、撮影するときに、レンズに当接された弾性部材を変形させてレンズの位置を調整する駆動部材を備えることにより、ズーム動作時でのレンズの位置ずれ、撮像動作時でのレンズの位置ずれを容易かつ迅速に補正して光学性能の補償、画質低下の防止が可能な光学装置を提供することを他の目的とする。
【課題を解決するための手段】
【００１１】
本発明に係るレンズ保持機構体は、レンズと、該レンズに当接された弾性部材と、該弾性部材を介して前記レンズを保持するレンズ保持部とを備えるレンズ保持機構体であって、前記弾性部材を変形させる駆動部材を備えることを特徴とする。
【００１２】
この構成により、駆動部材を駆動制御して弾性部材を変形させることができるので、駆動部材の大きい変位を弾性部材で緩衝して弾性部材の小さい変形に変換し、弾性部材の微小変位に応じて前記レンズの位置（光軸）を微小調整することができる。つまり、レンズの光軸をレンズ保持機構体の光軸に合わせるレンズの位置調整を極めて容易かつ高精度に行うことができる。
【００１３】
本発明に係るレンズ保持機構体では、前記駆動部材は、前記レンズの光軸とほぼ垂直な平面に沿う方向で前記弾性部材を変形させる構成としてあることを特徴とする。
【００１４】
この構成により、レンズの位置（光軸）をレンズの光軸とほぼ垂直な方向で調整することができることから、高精度での位置調整が可能となる。
【００１５】
本発明に係るレンズ保持機構体では、前記弾性部材は、前記レンズの周囲に沿って連続的に配置してあることを特徴とする。
【００１６】
この構成により、弾性部材によりレンズを均等かつ確実に係止することができ、また、容易にレンズを弾性部材に組み込むことができる。
【００１７】
本発明に係るレンズ保持機構体では、前記駆動部材は前記弾性部材の外接線の方向に沿って２つ配置してあり、前記外接線は相互にほぼ直交する位置にあることを特徴とする。
【００１８】
この構成により、光軸にほぼ垂直な平面に対応する２次元平面上でレンズの位置調整ができることから、容易かつ高精度にレンズの位置を調整することができる。
【００１９】
本発明に係るレンズ保持機構体では、前記弾性部材は、前記レンズの周囲に沿って３ヶ所以上に分離して配置してあることを特徴とする。
【００２０】
この構成により、少ない弾性部材で確実にレンズを係止することができ、軽量化、省資源化が可能となる。
【００２１】
本発明に係るレンズ保持機構体では、前記駆動部材は、前記弾性部材の少なくとも２ヶ所に対応させてそれぞれ配置してあることを特徴とする。
【００２２】
この構成により、弾性部材に対応させた２ヶ所に駆動部材を配置するので、光軸にほぼ垂直な平面に対応する２次元平面上の位置調整ができることから、容易かつ高精度にレンズの位置を調整することができる。
【００２３】
本発明に係るレンズ保持機構体では、前記弾性部材は、前記レンズの半径方向に弾性変形を生じる構成としてあることを特徴とする。
【００２４】
この構成により、駆動部材の駆動方向に対応して弾性変形することが可能となり、レンズの位置を極めて容易かつ高精度に調整することができる。
【００２５】
本発明に係るレンズ保持機構体では、前記駆動部材は、イオン伝導アクチュエータであることを特徴とする。
【００２６】
この構成により、低電圧を供給することにより高速で大きな変位が得られることから、小型化、軽量化、低消費電力化が可能で、レンズの位置調整を迅速に行うことができる。また、高速応答が可能であることから、動作中の光学装置に適用することが可能となる。
【００２７】
本発明に係るレンズ保持機構体では、イオン伝導アクチュエータは、長さ方向で対向する２つの電極を有し、前記弾性部材を押圧して変形させる押圧駆動および前記弾性部材を伸長して変形させる伸長駆動を行う構成としてあることを特徴とする。
【００２８】
この構成により、レンズの位置（光軸）の調整（移動）をより広い範囲で行うことができる。
【００２９】
本発明に係るレンズ保持機構体では、前記弾性部材は、ゴムで構成してあることを特徴とする。
【００３０】
この構成により、レンズを嵌合した弾性部材をレンズ保持部で係止することができる。
【００３１】
本発明に係るレンズ保持機構体では、前記弾性部材は、接着剤で構成してあることを特徴とする。
【００３２】
この構成により、レンズを接着した弾性部材をレンズ保持部で係止することができる。
【００３３】
本発明に係る光学装置は、レンズと、該レンズに当接された弾性部材と、該弾性部材を介して前記レンズを保持するレンズ保持部とを備えるレンズ保持機構体を搭載した光学装置であって、撮影するときに、前記弾性部材を変形させて前記レンズの位置を調整する駆動部材を備えることを特徴とする。
【００３４】
この構成により、ズーム機構動作時でのレンズの位置ずれ、撮像動作時でのレンズの位置ずれを容易かつ迅速に補正して光学性能の補償、画質低下の防止を図ることができる。
【発明の効果】
【００３５】
本発明に係るレンズ保持機構体によれば、レンズを弾性部材に取り付け、弾性部材を変形駆動する駆動部材を備えることから、弾性部材を介して駆動部材によりレンズを微小変位させてレンズの光軸位置を調整することができるので、レンズの位置調整を容易かつ高精度で行うことが可能なレンズ保持機構体を提供できるという効果を奏する。
【００３６】
本発明に係るレンズ保持機構体によれば、駆動部材としてイオン伝導アクチュエータを用いることから、小型化、軽量化、低消費電力化が可能で微小変位による迅速な位置調整が可能なレンズ保持機構体を提供できるという効果を奏する。
【００３７】
本発明に係る光学装置によれば、撮影するときに、レンズに当接された弾性部材を変形させてレンズの位置を調整する駆動部材を備えることから、ズーム動作時でのレンズの位置ずれ、撮像動作時でのレンズの位置ずれを容易かつ迅速に補正して光学性能の補償、画質低下の防止が可能な光学装置を提供できるという効果を奏する。
【発明を実施するための最良の形態】
【００３８】
以下、本発明の実施の形態を図面に基づいて説明する。
【００３９】
＜実施の形態１＞
図１は、本発明の実施の形態１に係るレンズ保持機構体の構成概要を説明する平面図である。
【００４０】
本実施の形態に係るレンズ保持機構体１は、中央部に配置されたレンズ２、レンズ２の周囲に配置されてレンズ２に当接されレンズ２を直接保持する弾性部材３、弾性部材３を介してレンズ２を保持するレンズ保持部４、弾性部材３を変形させるため弾性部材３に当接して応力を及ぼすように配置された駆動部材５を備える。
【００４１】
レンズ光学系（レンズ保持機構体１）の光軸はレンズ保持部４により画定され、レンズ保持機構体１は、レンズ２の光軸をレンズ光学系の光軸に一致させるように調整可能な構成としてある。
【００４２】
レンズ２は、ガラスやプラスチックなどの素材で構成してあり、削り出しや金型を用いたモールドにより形成される。レンズ２の光軸に垂直な方向での表面形状としては、球面、非球面、自由曲面があげられる。また、レンズ２には必要に応じてコバが形成される。レンズ２は、弾性部材３に取り付けられ、保持される。
【００４３】
弾性部材３は、ゴムのような弾性材料により形成され、レンズ２を保持できる形状としてある。本実施の形態では、弾性部材３は、レンズ２の周囲に沿って連続的に、つまり、リング形状に形成してあり、レンズ２を弾性部材３に容易に組み立てることができる。弾性部材３は、リング形状のゴムで構成してあることから、リング形状の内径をレンズ２のコバ外径よりも小さくすることにより、レンズ２を挟み込んで保持することができる。
【００４４】
なお、弾性部材３は、ゴムの他に接着剤を用いることもできる。弾性を有する接着剤で弾性部材３を構成することにより、確実にレンズ２を保持することが可能となる。また、レンズ２を挟み込むための加工が不要となり、レンズ保持部４との接着もレンズ２の接着と同時に行うことができる。
【００４５】
一体化されたレンズ２と弾性部材３は、レンズ保持部４に取り付けしてある。取り付けは、弾性部材３とレンズ保持部４とを接着すること、または、レンズ保持部４の内径を弾性部３材の外径より小さくして嵌め込むことにより行うことができる。
【００４６】
したがって、弾性部材３は、レンズ２を確実に係止し、また、レンズ保持部４は弾性部材３を確実に係止することができるので、安定したレンズ保持機構体１とすることができる。なお、レンズ保持部４は、樹脂、金属などの素材で構成してあり、成型や切削などの加工により形成される。
【００４７】
駆動部材５は、レンズ２の光軸とほぼ垂直な平面（図１で示す平面）に沿う方向で長尺状の形状を有している。駆動部材５は、リング形状を有する弾性部材３の外周で外接線方向に沿うように配置され、一方の端部（の適宜の位置）は弾性部材３と接着して自由端とし、弾性部材３と接着していない他方の端部（の適宜の位置）は固定端としてレンズ保持部４または適宜の構造体（不図示）に固定してある。
【００４８】
駆動部材５を弾性部材３の外接線方向と交差する方向（レンズ２の半径方向）に変形させることにより、駆動部材５の自由端が弾性部材３を変形させるので、レンズ２の位置を調整することが可能となる。
【００４９】
なお、弾性部材３は、レンズ２の半径方向で弾性変形を生じる構成とすることにより、駆動部材５の駆動方向に対応して変形することとなるから、より確実に変形することができる。
【００５０】
駆動部材５は弾性部材３と接着してあることから、弾性部材３を押圧する方向での押圧駆動だけでなく、押圧方向と逆の引っ張り方向（伸長方向）での伸長駆動により弾性部材３を駆動（変形）させることができる。押圧駆動および伸長駆動の異なる方向での駆動が可能であることから、より広い範囲でのレンズ２の位置調整が可能となる。また、弾性部材３の種類を変えることによりさらに制御性を変えることが可能となる。
【００５１】
つまり、駆動部材５の駆動に応じて弾性部材３をレンズ２の半径方向で変形させ、弾性部材３の変形に応じてレンズ２の位置（光軸位置Ｏ）をレンズ２の光軸とほぼ垂直な方向で調整することができることから、レンズ保持機構体１の光軸とレンズ２の光軸（光軸位置Ｏ）とを極めて容易かつ精度良く調整することができる。
【００５２】
本実施の形態では、駆動部材５は、レンズ２の光軸とほぼ垂直な平面上で光軸位置Ｏを通って相互にほぼ直交する軸Ａｘ１、Ａｘ２に対応させて２つ配置してある。なお、軸Ａｘ１、Ａｘ２は、弾性部材３の外周の外接線にほぼ垂直に交差することから、軸Ａｘ１、Ａｘ２は、レンズ２の半径方向に構成されることとなる。つまり、２つの駆動部材５は、それぞれが沿う方向の外接線が相互にほぼ直交する位置に配置してある。
【００５３】
したがって、レンズ２の光軸にほぼ垂直な平面に対応させた２次元平面上でレンズ２の位置調整を行うことができることから、レンズ２の光軸にほぼ垂直な平面上の全方向でレンズ２の光軸位置Ｏを容易かつ高精度に調整することができる。
【００５４】
制御部６は、駆動部材５へ適宜の駆動信号を供給し、駆動信号に応じて弾性部材３を変形させ、結果的にはレンズ２の位置（中心位置つまり光軸位置Ｏ）を調整することができる。
【００５５】
レンズ保持機構体１は、レンズ２とレンズ保持部４の間に弾性部材３を介在させていることから、外部からの衝撃などに対してレンズ２を保護することができる。また、弾性部材３を介してレンズ２の位置を変位させることから、レンズ２を変位させる際にレンズ２を損傷することがない。
【００５６】
なお、駆動部材５は、具体的にはイオン伝導アクチュエータ５０で構成してある（図２参照）。
【００５７】
図２は、本発明の実施の形態１に係るレンズ保持機構体に用いる駆動部材の詳細を説明する説明図であり、（Ａ）は電圧を印加しない状態での駆動部材の形状を示す平面構成図、（Ｂ）は第１極性の電圧を印加した状態での駆動部材の形状を示す平面構成図、（Ｃ）は第１極性と逆極性の電圧を印加した状態での駆動部材の形状を示す平面構成図である。なお、弾性部材の図示は省略してある。
【００５８】
駆動部材５としてのイオン伝導アクチュエータ５０は、高分子のイオン交換樹脂で構成され短冊状に形成された高分子電解質層５１、高分子電解質層５１の長さ方向で相互に対向する面に配置された２つの電極５２ａ、５２ｂ（両者を区別する必要がない場合には、電極５２とする。）で構成される。
【００５９】
高分子電解質層５１の一端は固定端として固定部材５３に固定される。また、高分子電解質層５１の他端は自由端として自由に動く構成とし、さらに弾性部材３（図１参照）に接着剤などを用いて適宜接着することにより、弾性部材３を駆動可能な構成としてある。
【００６０】
電極５２には、制御部６から延長された一対の配線５４が接続してあり、適宜の電圧を印加できる構成としてある。
【００６１】
同図（Ａ）では、制御部６からの電圧印加が無い状態として配線５４を開放（または短絡）状態とし、電極５２ａと電極５２ｂを同電位としてあるので、高分子電解質層５１は変位を生じないで直線状となっている。この直線状が弾性部材３に対する外接線に沿う方向としてある。
【００６２】
同図（Ｂ）では、制御部６からの印加電圧を第１極性の電圧Ｅｐとして配線５４を介して電極５２ａにプラス、電極５２ｂにマイナスを印加してあるので、高分子電解質層５１は電極５２ａの方向に屈曲している。
【００６３】
同図（Ｃ）では、制御部６からの印加電圧を第１極性の電圧Ｅｐと逆極性の第２極性の電圧Ｅｍとして配線５４を介して電極５２ａにマイナス、電極５２ｂにプラスを印加してあるので、高分子電解質層５１は電極５２ｂの方向に屈曲している。
【００６４】
イオン伝導アクチュエータ５０によれば、２つの電極の間に異なる極性の電圧を印加することにより、変形方向を逆にすることができる。したがって、自由端を弾性部材３に接着させて異なる極性の電圧を印加すれば、弾性部材３を押圧して変形させる押圧駆動と伸長して変形させる伸長駆動とを行うことができる。つまり、レンズ２の位置（光軸）の調整（移動）をより広い範囲で行うことができる。
【００６５】
イオン伝導アクチュエータ５０の駆動電圧は２Ｖ程度であり消費電力は少なく、昇圧機構などは不要であることから、低電圧電源から供給される電圧値を制御する機能を有する制御部６を備えれば良く、制御部６を含めた全体の構成を小型化、軽量化、低消費電力化を図ることが可能となる。また、制御部６は小型かつ小容量で良いことから、レンズ保持機構体１が搭載される光学装置の制御手段の電源を利用することが可能となり、光学装置の制御手段に組み込むことも可能となる。
【００６６】
つまり、制御部６を制御してイオン伝導アクチュエータ５０に印加する電圧の極性、電圧の大きさを変えることにより、任意の方向に高分子電解質層５１を変位（形状変化）させることができる。また、形状変化の度合いは印加電圧の大きさで適宜制御することができることから、弾性部材３を自由に変位させることができ、結果としてレンズ２の光軸位置Ｏを自由に制御することができる。したがって、自由端の適宜の位置を弾性部材３の適宜の位置に接着することにより、弾性部材３を押圧方向および伸長方向の両方向で駆動することが可能となる。
【００６７】
イオン伝導アクチュエータ５０の変形量は必要とされるレンズ２の移動量（通常は数ミクロン）に比べて大きくなるが、レンズ２を直接駆動することなく、弾性部材３を介在させてレンズ２を駆動することから、弾性部材３の弾性変形によりイオン伝導アクチュエータ５０の変位（変形量）が実質上縮小されるので、レンズ２を微小変位させることが可能となり、レンズ２の位置調整をより高精度で行うことが可能となる。
【００６８】
つまり、イオン伝導アクチュエータ５０によりレンズ２の光軸位置Ｏをレンズ２の光軸に対してほぼ垂直な方向で高精度に駆動（変位）させることが可能となるから、レンズ光学系の光軸に対してレンズ２の位置を最適な位置へ調整することができる。
【００６９】
また、イオン伝導アクチュエータ５０は、制御部６からの電気信号により制御されることから、高速駆動が可能であり、迅速な位置調整が可能となる。
【００７０】
なお、イオン伝導アクチュエータ５０の他に微小変位させる手段としては、一般に圧電素子を用いる方法がある。しかし、圧電素子はサイズが小さくなるにつれ変位量が小さくなることから、レンズ２を保持するレンズ保持部４に取り付け可能な大きさ（およそ１〜２ｍｍ角）の圧電素子では、必要となる変位量である数ミクロンの変位を得るために数十Ｖといった高い電圧が必要となり、昇圧機構などを設けることが必要となる。したがって、駆動部材５として圧電素子を用いことは不可能ではないが、イオン伝導アクチュエータ５０を用いることがより好ましい。
【００７１】
＜実施の形態２＞
図３は、本発明の実施の形態２に係るレンズ保持機構体の構成概要を説明する平面図である。
【００７２】
本実施の形態に係るレンズ保持機構体２１は、中央部に配置されたレンズ２２、レンズ２２の周囲に沿って分離して配置されレンズ２２に当接してレンズ２２を直接保持する弾性部材２３、弾性部材２３を介してレンズ２２を保持するレンズ保持部２４、弾性部材２３を変形させるため弾性部材２３に当接して応力を及ぼすように配置された駆動部材２５を備える。
【００７３】
制御部２６は、駆動部材２５へ適宜の駆動信号を供給し、駆動信号に応じて弾性部材２３を変形させ、結果的にはレンズ２２の位置（中心位置つまり光軸位置Ｏ）を調整することができる。
【００７４】
レンズ光学系（レンズ保持機構体２１）の光軸はレンズ保持部２４により画定され、レンズ保持機構体２１は、レンズ２２の光軸をレンズ光学系の光軸に一致させるように調整可能な構成としてある。
【００７５】
本実施の形態は、実施の形態１に対して、弾性部材２３の構成が異なる。その他の構成は実施の形態１とほぼ同様であるので詳細な説明は省略する。なお、弾性部材２３を駆動する駆動部材２５の構成は、基本的に実施の形態１と同様でありレンズ２２の光軸とほぼ垂直な平面（図３で示す平面）に沿う方向で長尺状の形状を有している。
【００７６】
弾性部材２３は、レンズ２２の周囲に沿って３箇所に分離して均等に配置してある。均等配置してあることから、レンズ２２の光軸位置Ｏに対して、それぞれ相互に１２０度の角度を有する位置に配置してある。つまり、レンズ２２の光軸位置Ｏを中心にして相互に１２０度の角度を有する軸Ａｘ３、Ａｘ４、Ａｘ５とレンズ２２の外周が交差する位置で、レンズ２２は弾性部材２３の弾性によりレンズ保持部２４により３点保持の態様で係止される。
【００７７】
この構成により、少ない弾性部材２３で確実にレンズ２２を係止することができるので、軽量化、省資源化が可能となる。また、弾性部材２３は、少なくとも３箇所以上に配置することにより、レンズ２２をレンズ保持部２４に対して均等に係止することができる。
【００７８】
弾性部材２３の内少なくとも２ヶ所には、駆動部材２５が対応させて配置してある。駆動部材２５は、弾性部材２３の配置に対応して配置されることから、配置位置が実施の形態１の場合に対して異なる。駆動部材２５は、具体的には実施の形態１と同様にイオン伝導アクチュエータ５０（図２参照）で構成することが好ましい。
【００７９】
弾性部材２３は、分離して設けてあることから、実施の形態１の場合（リング形状の弾性部材３）に比較して、レンズ２２を保持する力は弱くなる。また、レンズ２２が小さい場合には弾性部材２３も小さな形状とする必要があり、加工が困難になると共にさらに保持力が小さくなる。
【００８０】
したがって、このようにレンズ２２が小さい場合などには、弾性部材２３は、適当な弾性力を有する接着剤で構成することが好ましい。接着剤を使用することにより接着点が三点であっても十分な取り付け強度を確保することができる。
【００８１】
駆動部材２５は、実施の形態１の場合と同様に弾性部材２３に接着してあることから、弾性部材２３を押圧する方向だけでなく、押圧方向と逆の引っ張り方向（伸長方向）においても弾性部材２３を駆動することができる。また、レンズ２２とレンズ保持部２４との間の接着強度を超えない範囲でレンズ２２を微小変位させることが可能である。
【００８２】
駆動部材２５は、レンズ２２の光軸とほぼ垂直な平面上で光軸位置Ｏを通って相互にほぼ１２０度の角度を有する軸Ａｘ３、Ａｘ４に対応させて２つ配置してある。また、駆動部材２５は、軸Ａｘ３、Ａｘ４とほぼ垂直に交差する方向に沿って配置してあることから、軸Ａｘ３、Ａｘ４の方向を押圧方向または伸長方向とすることができる。
【００８３】
したがって、本実施の形態でも実施の形態１と同様、レンズ２２の光軸にほぼ垂直な平面に対応させた２次元平面上でレンズ２２の位置調整を行うことができることから、レンズ２２の光軸にほぼ垂直な平面上の全方向でレンズ２２の光軸位置Ｏを容易かつ高精度に調整することができる。
【００８４】
＜実施の形態３＞
実施の形態１、実施の形態２に係るレンズ保持機構体１は、レンズ２をレンズ保持部４に装着するときの調整機構として用いることができる。また、ズーム機構を有する光学装置（カメラなど）のレンズ系において、撮影するときに作動させてレンズ２の位置を微調整するために用いることもできる。
【００８５】
つまり、本実施の形態に係る光学装置（不図示）は、レンズ２（２２）と、レンズ２（２２）に当接された弾性部材３（２３）と、弾性部材３（２３）を介してレンズ２（２２）を保持するレンズ保持部４（２４）とを備えるレンズ保持機構体１（２１）を搭載した光学装置であって、撮影するときに、弾性部材３（２３）を変形させてレンズ２（２２）の位置を容易かつ迅速に調整する駆動部材５（２５）を備える。
【００８６】
例えば、ズーム機構を有するようなカメラのレンズ光学系において、等倍時においてはレンズ２（２２）の位置が光学設計値通りの最適配置をとっていたとしても、高倍率時（ズーム機構動作時）におけるレンズ配置においては最適配置からのずれや公差が厳しくなるなどの原因により光学性能の低下が問題となりやすい。
【００８７】
このような場合に、高倍率時において駆動部材５（２５）を制御部６（２６）により制御して作動させ、レンズ位置を最適配置することで光学性能の補償（補正調整）を行うことが可能となる。
【００８８】
また、撮像動作時において作動させることもできる。例えば、撮像動作状態で外部からなんらかの衝撃が加わり、これによりレンズ位置にずれが生じて撮像画質を悪化させる原因が発生しても、瞬時にレンズ位置の補正調整を行うことにより画質低下を最小限に抑えることができる。
【図面の簡単な説明】
【００８９】
【図１】本発明の実施の形態１に係るレンズ保持機構体の構成概要を説明する平面図である。
【図２】本発明の実施の形態１に係るレンズ保持機構体に用いる駆動部材の詳細を説明する説明図であり、（Ａ）は電圧を印加しない状態での駆動部材の形状を示す平面構成図、（Ｂ）は第１極性の電圧を印加した状態での駆動部材の形状を示す平面構成図、（Ｃ）は第１極性と逆極性の電圧を印加した状態での駆動部材の形状を示す平面構成図である。
【図３】本発明の実施の形態２に係るレンズ保持機構体の構成概要を説明する平面図である。
【符号の説明】
【００９０】
１、２１  レンズ保持機構体
２、２２  レンズ
３、２３  弾性部材
４、２４  レンズ保持部
５、２５  駆動部材
６、２６  制御部
５０  イオン伝導アクチュエータ
５１  高分子電解質層
５２ａ、５２ｂ  電極
Ｏ  光軸位置
【図１】
2007079258.tif 000003
【図２】
2007079258.tif 000004
【図３】
2007079258.tif 000005